(57)【要約】【課題】大型ブロワを使用することなく温度を調節することが可能な、２ストローク内燃機関システムを動作させるための改良された方法を提供すること。【解決手段】本発明は、エンジンデータと、掃気ガスが供給され且つ排ガスを発生する２ストローク内燃機関、及び排ガスを浄化するためのガス浄化装置と、を有する２ストロークエンジンシステムを作り出すための方法であって、ガス浄化装置の入口の上流で第１温度を測定するステップと、目標温度を提供するステップと、温度差を提供するために第１温度と目標温度とを比較するステップと、開く又は閉じるように温度差に基づいてシリンダバイパスバルブを調節するステップであって、温度振動を減衰させるために、より多い又はより少ない掃気ガスをターボチャージャーのタービンの上流の排ガス内に入れる、ステップと、を含む方法に関する。【選択図】図１
2017223221.tif 000002
【特許請求の範囲】
【請求項１】
エンジンデータと、掃気ガスが供給され且つ排ガスを発生する２ストローク内燃機関（２）、及び前記排ガスを浄化するためのガス浄化装置（３）と、を有する２ストロークエンジンシステム（１）を作り出すための方法であって、
−  前記ガス浄化装置（３）の入口（１８）の上流で第１温度を測定するステップと、
−  目標温度を提供するステップと、
−  温度差を提供するために前記第１温度と前記目標温度とを比較するステップと、
−  開く又は閉じるように前記温度差に基づいてシリンダバイパスバルブ（５）を調節するステップであって、温度振動を減衰させるために、より多い又はより少ない掃気ガスをターボチャージャー（８）のタービン（６）の上流の排ガス内に入れる、ステップと、
を含む方法において、
前記目標温度が、前記２ストロークエンジンシステム（１）のエンジンデータから導かれる時定数（ｃ）により一次フィルタで前記第１温度をフィルタリングすることによって導かれるか、又は前記目標温度が、前記ガス浄化装置（３）の下流で第２温度を測定することによって実施されることを特徴とする方法。
【請求項２】
前記シリンダバイパスバルブ（５）が、前記第１温度が前記目標温度よりも高いときに閉じられることを特徴とする請求項１に記載の方法。
【請求項３】
前記シリンダバイパスバルブ（５）が、前記第１温度が前記目標温度よりも低いときに開かれることを特徴とする請求項１又は２に記載の方法。
【請求項４】
前記目標温度が、前記２ストロークエンジンシステム（１）のエンジンデータから前記第１温度を修正することによって導かれることを特徴とする請求項１から３のいずれか一項に記載の方法。
【請求項５】
前記シリンダバイパスバルブ（５）が、連続的に調節されることを特徴とする請求項１から４のいずれか一項に記載の方法。
【請求項６】
前記排ガスの温度が、前記シリンダバイパスバルブ（５）が前記掃気ガスの一部を前記タービン（６）の上流の前記排ガス内に入れると、上昇することを特徴とする請求項１から５のいずれか一項に記載の方法。
【請求項７】
前記排ガスの温度が、前記シリンダバイパスバルブ（５）が前記掃気ガスの一部が前記２ストローク内燃機関（２）のシリンダ（９）を迂回することを防止すると、低下することを特徴とする請求項１から６のいずれか一項に記載の方法。
【請求項８】
前記シリンダバイパスバルブ（５）を調節するステップが、前記ガス浄化装置（３）の前記入口（１８）での排ガスの所定の最小温度にさらに基づいていることを特徴とする請求項１から７のいずれか一項に記載の方法。
【請求項９】
前記第１温度が、前記ガス浄化装置の上流でのみ測定されることを特徴とする請求項１から８のいずれか一項に記載の方法。
【請求項１０】
前記２ストロークエンジンシステム（１）の前記時定数（ｃ）により一次フィルタで前記第１温度をフィルタリングすることによる前記目標温度の決定が、過去のデータに基づいていることを特徴とする請求項１から９のいずれか一項に記載の方法。
【発明の詳細な説明】
【技術分野】
【０００１】
本発明は、エンジンデータと、掃気ガスが供給され且つ排ガスを発生させる２ストローク内燃機関、及び排ガスを浄化するためのガス浄化装置と、を有する２ストロークエンジンシステムを作り出すための方法に関する。
【背景技術】
【０００２】
例えば特許文献１から公知の、従来技術の２ストローク内燃機関システムでは、温度は、低すぎてガス浄化システムが適切に機能することができないレベルにまで温度が低下しないことを保証するために調節され、これにより、エンジンでの内部燃焼を最適化するか、又はエンジンに掃気ガスを運ぶのに十分に圧縮機を駆動する。このような大型２ストローク内燃機関システムでの温度は、振動することがあり、温度変化を調節する１つの方法は、ブロワを作動させることによるものである。しかしながら、すべての負荷を動作させるためには、ブロワの性能は極めて高くなければならず、これは、大容量電気モータを必要とする。従って、このようなブロワは、非常に高価であり、大きなスペースを占め、これにより、内燃機関システムの全体積を顕著に拡大させ、それにより、他の物品、例えばコンテナを運ぶために船舶で利用可能なスペースを減少させる。
【先行技術文献】
【特許文献】
【０００３】
【特許文献１】特開２０１４−１９６７４５号公報
【発明の概要】
【発明が解決しようとする課題】
【０００４】
本発明の目的は、従来技術における上記の不利点及び欠点を完全に又は部分的に克服することである。より具体的に、本発明の目的は、大型ブロワを使用することなく温度を調節することが可能な、２ストローク内燃機関システムを動作させるための改良された方法を提供することである。
【課題を解決するための手段】
【０００５】
上記の目的と、以下の説明から明らかになる、多くの他の目的、利点及び特徴と、は、
エンジンデータと、掃気ガスが供給され且つ排ガスを発生する２ストローク内燃機関、及び排ガスを浄化するためのガス浄化装置と、を有する２ストロークエンジンシステムを作り出すための方法であって、
−  ガス浄化装置の入口の上流で第１温度を測定するステップと、
−  目標温度を提供するステップと、
−  温度差を提供するために第１温度と目標温度とを比較するステップと、
−  開く又は閉じるように温度差に基づいてシリンダバイパスバルブを調節するステップであって、温度の振動を減衰させるために、より多い又はより少ない掃気ガスをターボチャージャーのタービンの上流の排ガス内に入れ、第１温度及び目標温度が近づく、ステップと、
を含む方法により、本発明に従った解決法によって達成される。
【０００６】
一実施形態では、シリンダバイパスバルブが、第１温度が目標温度よりも高いときに閉じられるか、又は少なくとも絞られてもよい。
【０００７】
別の実施形態では、シリンダバイパスバルブが、第１温度が目標温度よりも低いときに開かれるか、又はより大きく開かれてもよい。
【０００８】
さらに、第１温度が、ガス浄化装置の上流でのみ測定されてもよい。
【０００９】
従って、温度センサが、ガス浄化装置の上流のみに配置されてもよい。
【００１０】
加えて、ガス浄化装置が、ターボチャージャーの上流に配置されてもよい。
【００１１】
一実施形態では、温度センサが、熱交換器の上流に配置されてもよい。
【００１２】
目標温度が、ガス浄化装置の下流で測定されてもよい。
【００１３】
さらに別の実施形態では、シリンダバイパスバルブが、第１温度と目標温度との温度差が増大する場合に、より大きな流れを提供するように調節されてもよい。
【００１４】
上述したシリンダバイパスバルブは、第１温度と目標温度との温度差が減少する場合に、より小さい流れを提供するようにさらに調節されてもよい。
【００１５】
一実施形態では、目標温度が、２ストロークエンジンシステムのエンジンデータから第１温度を修正することによって導かれてもよい。
【００１６】
加えて、目標温度が、２ストロークエンジンシステムのエンジンデータから導かれた時定数により一次フィルタで第１温度をフィルタリングすることによって導かれてもよい。
【００１７】
別の実施形態では、目標温度を提供するステップが、ガス浄化装置の下流で第２温度を測定することによって行われてもよい。
【００１８】
さらに、シリンダバイパスバルブが、連続的に調節されてもよい。
【００１９】
また、第１温度が、連続的に測定されてもよい。
【００２０】
加えて、第２温度が、連続的に測定されてもよい。
【００２１】
さらに、排ガスの温度が、シリンダバイパスバルブが掃気ガスの一部をタービンの上流の排ガス内に入れると、上昇してもよい。
【００２２】
加えて、排ガスの温度が、シリンダバイパスバルブが掃気ガスの一部が２ストローク内燃機関のシリンダを迂回することを防止すると、低下してもよい。
【００２３】
２ストロークエンジンシステムは、大型２ストロークディーゼルエンジンであってもよい。
【００２４】
さらに、シリンダバイパスバルブを調節するステップが、ガス浄化装置の入口での排ガスの所定の最小温度に基づいていてもよい。これは、ガス浄化装置内での所定の最小温度を保証するために行われる。
【００２５】
本発明及び本発明の多くの利点は、添付の概略的な図面を参照して以下でより詳細に説明され、図面は、説明のために、いくつかの非限定的な実施形態を示している。
【図面の簡単な説明】
【００２６】
【図１】２ストロークエンジンシステムの図を示す。
【図２】別の２ストロークエンジンシステムの図を示す。
【図３】シリンダバイパスバルブの位置と、ガス浄化装置の入口での温度と、の図を示す。
【図４】ガス浄化装置の入口での温度と、目標温度と、の図を示す。
【図５】ガス浄化装置の入口での温度と、目標温度と、の別の図を示す。
【発明を実施するための形態】
【００２７】
全ての図は、極めて概略的であり、必ずしも縮尺通りではなく、それらの図は、本発明を明らかにするために必要なパーツのみを示し、他のパーツは、省略されるか又は単に示唆される。
【００２８】
図１は、掃気ガス受容器１０から掃気ガスが供給されるシリンダ９を有する２ストローク内燃機関２を有する２ストロークエンジンシステム１を示す。２ストローク内燃機関２は、排ガス受容器１１内で受容される排ガスを発生する。排ガスは、排ガス経路１２内で流れ、ガス浄化装置３内で浄化される。ガス浄化装置３の下流では、排ガスが、ターボチャージャー８の圧縮機７を駆動するタービン６を駆動する。２ストロークエンジンシステム１は、掃気ガスを冷却するために圧縮機７の下流に配置された冷却器１４をさらに備えている。また、２ストロークエンジンシステム１は、シリンダバイパスバルブ（ＣＢＶ）５を備え、このシリンダバイパスバルブ５は、掃気経路１６内の掃気ガスの一部が、タービン６の上流及びガス浄化装置３の下流の排ガス経路１２内の排ガスに入ることを可能にする。２ストロークエンジンシステム１は、ガス浄化装置３の入口１８の上流で第１温度を測定するための温度センサ１７を有している。温度センサ１７は、信号ライン１９を通じて、測定された第１温度の信号を制御ユニット２０に送信する。制御ユニット２０は、第２信号ライン２１を介して、より大きく又はより小さく開くようにシリンダバイパスバルブ５の作動を制御し、すなわち、掃気経路１６内の掃気ガスがより多く又はより少なく排ガス経路１２内の排ガスに入ることを可能にするか、又は閉鎖されるようにシリンダバイパスバルブ５の作動を制御する。
【００２９】
いくつかの大型２ストローク内燃機関２が動作するときに、２ストロークエンジンシステム１内での温度が、正弦曲線と極めて類似する識別可能なパターンで振動することと、正弦曲線におけるピークからピークへの時間が１つのエンジンシステムに対して極めて一定で振動するように思われることと、を試験が示している。期間ｃである時定数ｃはエンジンシステム１によって異なるが、１つのエンジンシステム１に対しては、時定数ｃは所定の負荷で略一定である。これは、特に、大型触媒反応器１５を有する極めて大型のガス浄化装置３を有する大型２ストロークエンジンシステム１に対する状況であると思われる。図３では、第１温度は、シリンダバイパスバルブ５が閉じられているときにガス浄化装置３の入口１８で第１期間に測定され、且つ正弦曲線は、時定数ｃとともに見える。試験は、シリンダバイパスバルブ５が開かれているときには、第１温度が、シリンダバイパスバルブ５が閉じられていたときと同じ程度に変化しないことを示している。しかしながら、シリンダバイパスバルブ５を開くことによって、２ストロークエンジンシステム１は、望まれるほど効率的には動作せず、従って、シリンダバイパスバルブ５は、最小限に開いていることが好ましい。
【００３０】
従って、２ストロークエンジンシステム１での温度振動を減衰させるために、ガス浄化装置３の入口１８の上流の第１温度が測定され、目標温度が提供される。続いて、第１温度が目標温度と比較され、これにより、温度差を提供し、シリンダバイパスバルブ５は、当該温度差に基づいて、図３に示されるように、より多い又はより少ない掃気ガスをターボチャージャー８のタービン６の上流の排ガス内に入れて温度の振動を減衰させるために、開く又は閉じるように調節され、このため、第１温度及び目標温度が近づき、温度振動がほとんど存在しなくなる。図４に示されるように、シリンダバイパスバルブ５は、第１温度が目標温度よりも低いときに開かれ、第１温度が目標温度よりも高いときに再び閉じられる。図４の第１期間では、シリンダバイパスバルブ５は、調整されず且つ閉じられており、従って、ガス浄化装置３の入口１８での第１温度は正弦曲線状に振動する。
【００３１】
図３で分かるように、シリンダバイパスバルブ（ＣＢＶ）５は、第２期間の初めに、より大きく開かれ、その後、シリンダバイパスバルブ５は、排ガス経路１２への掃気ガスの流れを若干絞り、ここで、シリンダバイパスバルブ５は、より小さく開き、最終的には完全に閉じる。従って、シリンダバイパスバルブ５は、第１温度と目標温度との間の温度差が増大する場合により大きな流れを提供するように、且つ第１温度と目標温度との温度差が減少する場合により小さな流れを提供するように、調節される。このようにして、シリンダバイパスバルブ５は、連続的に測定された第１温度に基づいて、シリンダ９のバイパスを、開くこと、より大きく開くこと、絞ること又は閉じることによって、連続的に調節される。
【００３２】
図４では、目標温度は、２ストローク内燃機関２のエンジンデータから第１温度を修正することによって、第１温度から導かれる。２ストロークエンジンシステム１が使用される前に、２ストロークエンジンシステム１は試験され、これにより、時定数ｃを決定するために分析されるエンジンデータを提供する。続いて、目標温度が、この特定の２ストロークエンジンシステム１の時定数ｃにより、一次フィルタで第１温度をフィルタリングすることによって導かれる。第１温度の振動がいくらか減衰されるに従って、温度差が小さくされ、シリンダバイパスバルブ５が開いている程度は小さくされる。図に示すように、シリンダバイパスバルブ５は、目標温度が第１温度よりも高いときに開く。シリンダバイパスバルブ５が開かれると、より多くの掃気ガスがシリンダ９を迂回し、結果として、発生された排ガスの温度が上昇する。従って、閉じられたシリンダバイパスバルブ５のみが、開かれることによって温度が上昇するように調節することができ、開いているシリンダバイパスバルブ５は、閉じられることによって温度が低下するように調節することのみができるか、又はシリンダバイパスバルブ５はさらにより大きく開くことができる。従って、第１温度が最も高く、下げられる必要がある場合、シリンダバイパスバルブ５は閉じ、これにより、より多くの掃気ガスが２ストローク内燃機関２に供給されることにつながり、発生された排ガスを冷却し、且つそれによりガス浄化装置３の入口１８での第１温度を下げる。従って、排ガスの温度は、シリンダバイパスバルブ５が掃気ガスの一部が２ストローク内燃機関２のシリンダ９を迂回することを防止すると、低下する。目標温度が第１温度よりも高ければ、開いているシリンダバイパスバルブ５は効果的であるが、開いている、第１温度が目標温度よりも高い間の期間では、シリンダバイパスバルブ５は、温度振動を減衰させる点で効果がなく、従って２ストローク内燃機関２の機能を最適化するために閉じられる。従って、所定の期間にシリンダバイパスバルブ５を開くことによって、温度変化は減衰させられ、これにより、エンジンシステム１のより効率的な動作、従ってエンジンシステム１の全ての構成要素のより長い寿命をもたらす。
【００３３】
図５では、目標温度は、図２のエンジンシステム１で示されるように、第２温度センサ２２によってガス浄化装置３の下流で、例えばガス浄化装置３の出口２４で第２温度を測定することによって得られる。図５に示される第１期間では、シリンダバイパスバルブ５は、第１温度及び目標温度の正弦振動を示すために閉じられている。次の期間では、シリンダバイパスバルブ５は、掃気ガスの一部をタービン６の上流の排ガス内に入れるために開かれ、第１温度は、温度の正弦曲線の谷の間にシリンダバイパスバルブ５が閉じられる状況と比較すると、顕著に上昇させられ、すなわち正弦曲線を一定にする。しかしながら、ガス浄化装置３の出口２４での温度である目標温度は、第１温度ほど迅速には、シリンダバイパスバルブ５を開くことによって影響を与えられない。目標温度が第１温度よりも高ければ、すなわち出口２４での温度がガス浄化装置３の入口１８での温度よりも高ければ、シリンダバイパスバルブ５は開き続け、目標温度が低下すると、温度差が減少し、シリンダバイパスバルブ５の絞りをもたらす。
【００３４】
シリンダバイパスバルブ５は、他のセンサからの他の入力によって調節されてもよい。従って、シリンダバイパスバルブ５は、ガス浄化装置３の入口１８での排ガスの所定の最小温度に基づいてさらに調節され、これにより、ガス浄化装置３内での所定の最小温度を保証してもよい。従って、所定の温度と比較してガス浄化装置３の入口１８での温度が低すぎるときには、シリンダバイパスバルブ５は、単に第１温度と目標温度との温度差に基づく場合と比較して若干小さく絞られ、これにより、ガス浄化装置３に入る排ガスの温度を上昇させる。その後、振動の減衰がわずかに多くの時間がかかるが、減衰は生じ、第１温度及び目標温度は時間が経つにつれて近づく。
【００３５】
第１温度が所定の第１温度よりも低い場合及び第１温度が目標温度よりも低い場合には、シリンダバイパスバルブ５は、排ガス内により大きな掃気ガスの流れを提供するように調節されてもよい。それにより、制御ユニット２０は、実際に測定された第１温度と第１温度の過去のデータとの双方に基づいて調節することが可能であり、これにより、制御ユニット２０が、どのくらいシリンダバイパスバルブ５が開かれ、絞られ又は閉じられるべきか推定することを可能にする。同じ方式で、シリンダバイパスバルブ５は、第１温度がすでに測定された第１温度よりも高い場合には、排ガス内への掃気ガスのより小さい流れを提供するように調節されてもよい。目標温度の決定、すなわち、この特定の２ストロークエンジンシステム１の時定数ｃにより一次フィルタで第１温度をフィルタリングすることによって導かれる目標温度の決定は、過去のデータにも基づいている。
【００３６】
本発明が、本発明の好ましい実施形態に関連して上述されたが、当業者には、以下の特許請求の範囲によって規定される本発明から逸脱することなくいくらかの修正が想起可能であることは明らかである。
【符号の説明】
【００３７】
１  ２ストロークエンジンシステム、２  ２ストローク内燃機関、３  ガス浄化装置、５  シリンダバイパスバルブ、６  タービン、８  ターボチャージャー、９  シリンダ、１８  入口、ｃ  時定数
【図１】
2017223221.tif 000003
【図２】
2017223221.tif 000004
【図３】
2017223221.tif 000005
【図４】
2017223221.tif 000006
【図５】
2017223221.tif 000007
【外国語明細書】
2017223221000001.pdf